(57)【要約】      （修正有）【課題】遷移先ページが分析パラメータを受け付けない場合でも、ユーザの利便性を低減させない仕組みを提供する【解決手段】ウェブサイトへのアクセスを制御する情報処理装置であって、ユーザからウェブサイトへのアクセス要求を取得し、アクセス要求に係るアクセス先のウェブサイトが、アクセス要求に分析パラメータが付与されている場合にアクセス可能かを判定する。アクセスできないと判定された場合、アクセス要求から分析パラメータを削除する。【選択図】図１
2016115068.tif 000002
【特許請求の範囲】
【請求項１】
ウェブサイトへのアクセスを制御する情報処理装置であって、
ユーザからウェブサイトへのアクセス要求を取得するアクセス要求取得手段と、
前記アクセス要求取得手段により取得したアクセス要求に係るアクセス先のウェブサイトが、当該アクセス要求に分析パラメータが付与されている場合にアクセス可能かを判定するアクセス可否判定手段と、
前記アクセス可否判定手段によりアクセスできないと判定された場合、当該アクセス要求から分析パラメータを削除するパラメータ削除手段と、
を備えることを特徴とする情報処理装置。
【請求項２】
分析パラメータが付与されている場合にアクセスが可能であるかを、ウェブサイトからのレスポンスデータに基づき判定する事前判定手段と、
前記事前判定手段によりアクセスができないと判定されたウェブサイトを記憶する記憶手段と、
をさらに備え、
前記アクセス可否判定手段は、前記記憶手段に記憶されたウェブサイトの情報に基づき、アクセス可否を判定することを特徴とする請求項１に記載の情報処理装置。
【請求項３】
前記情報処理装置は、分析パラメータに係る情報を収集するアクセス情報収集サーバと通信可能であり、
前記パラメータ削除手段により分析パラメータが削除された場合、当該削除された分析パラメータにかかる情報を、アクセス情報収集サーバに送信することを特徴とする請求項１または２に記載の情報処理装置。
【請求項４】
ウェブサイトへのアクセスを制御する情報処理装置における情報処理方法であって、
前記情報処理装置のアクセス要求取得手段が、ユーザからウェブサイトへのアクセス要求を取得するアクセス要求取得工程と、
前記情報処理装置のアクセス可否判定手段が、前記アクセス要求取得工程により取得したアクセス要求に係るアクセス先のウェブサイトが、当該アクセス要求に分析パラメータが付与されている場合にアクセス可能かを判定するアクセス可否判定工程と、
前記情報処理装置のパラメータ削除手段が、前記アクセス可否判定工程によりアクセスできないと判定された場合、当該アクセス要求から分析パラメータを削除するパラメータ削除工程と、
を備えることを特徴とする情報処理方法。
【請求項５】
ウェブサイトへのアクセスを制御する情報処理装置において実行可能なプログラムであって、
前記情報処理装置を、
ユーザからウェブサイトへのアクセス要求を取得するアクセス要求取得手段と、
前記アクセス要求取得手段により取得したアクセス要求に係るアクセス先のウェブサイトが、当該アクセス要求に分析パラメータが付与されている場合にアクセス可能かを判定するアクセス可否判定手段と、
前記アクセス可否判定手段によりアクセスできないと判定された場合、当該アクセス要求から分析パラメータを削除するパラメータ削除手段として機能させることを特徴とするプログラム。
【発明の詳細な説明】
【技術分野】
【０００１】
本発明は、情報処理装置、情報処理方法、プログラムに関する。
【背景技術】
【０００２】
近年、インターネット上のウェブサイトのアクセス情報を分析して、ウェブサイトの改善、パフォーマンスの向上に役立てる活動が活発に行われている。ウェブサイトのオーナーはアクセス分析情報に基づきウェブサイトを改善し、改善した結果をアクセス分析情報で確認することを繰り返すＰＤＣＡサイクルにより、ウェブサイトを継続的に改善している。
【０００３】
このようなアクセス分析を実現するためのツールの一つとして、ウェブビーコン型が存在する。
【０００４】
ウェブビーコン型のアクセス分析ツールでは、ウェブサイトで公開している各ＨＴＭＬページにＪａｖａＳｃｒｉｐｔ（登録商標）のタグを埋め込む。そして、ウェブサイトの閲覧者が、タグが埋め込まれたＨＴＭＬを読み込んだ時に、埋め込まれたＪａｖａＳｃｒｉｐｔ（登録商標）が実行されて、アクセス情報がアクセス情報収集サーバへ送信される。ウェブサイトのオーナーはアクセス情報収集サーバに蓄積されたアクセス情報を閲覧する。
【０００５】
特許文献１には、パラメータを含むＵＲＬに基づいて、アクセス経路を分析する技術について記載されている。
【先行技術文献】
【特許文献】
【０００６】
【特許文献１】特開２００９−９２３９号公報
【発明の開示】
【発明が解決しようとする課題】
【０００７】
ウェブビーコン型のアクセス分析ツールでは、ユーザがページ遷移する際にＵＲＬにアクセス分析用のＧＥＴパラメータが付与されることがある。アクセス分析用のＧＥＴパラメータの例を以下に挙げる。
【０００８】
例：ｈｔｔｐ：／／ｈｏｇｅ．ａｂｃ．ｊｐ／ｈｏｇｅｈｏｇｅ？ｐａｒａｍ＿ｍｅｄｉｕｍ＝ｍａｉｌ
【０００９】
ウェブサイトオーナーは上記ＵＲＬをメルマガに載せて配信する。メルマガ受け取ったユーザがメールから上記リンクをクリックすると「ｐａｒａｍ＿ｓｏｕｒｃｅ＝ｍａｉｌ」が遷移先の画面に渡されて、遷移先の画面でＪａｖａＳｃｒｉｐｔ（登録商標）が読み込まれる。この時、「ｐａｒａｍ＿ｓｏｕｒｃｅ＝ｍａｉｌ」がパラメータに付与されていることで、メールからのアクセスであることが判定可能となる。
【００１０】
上記以外にも、遷移元の広告媒体を設定するパラメータなど各アクセス分析ツールで様々なパラメータが存在する。
【００１１】
しかしながら、遷移先のページでセキュリテイ対策のため不要なＧＥＴパラメータを受け付けない場合がある。そのため、そのようなページへの遷移時にＧＥＴパラメータを付与した場合、ユーザの端末にエラー画面が表示されてしまうなど、サイトのコンテンツの表示に影響を与えることがある。
【００１２】
特に、様々な外部サイトへのリンクが存在するゲートウェイのようなＷＥＢサイトの場合、遷移先のＷＥＢサイトが頻繁に追加、変更されると、その都度分析パラメータを受け付けるかのチェックを行うことは運用負荷になってしまう。
【００１３】
そこで、本発明は、遷移先ページが分析パラメータを受け付けない場合でも、ユーザの利便性低下を低減させることが可能な仕組みを提供することを目的とする。
【課題を解決するための手段】
【００１４】
本発明は、ウェブサイトへのアクセスを制御する情報処理装置であって、ユーザからウェブサイトへのアクセス要求を取得するアクセス要求取得手段と、前記アクセス要求取得手段により取得したアクセス要求に係るアクセス先のウェブサイトが、当該アクセス要求に分析パラメータが付与されている場合にアクセス可能かを判定するアクセス可否判定手段と、前記アクセス可否判定手段によりアクセスできないと判定された場合、当該アクセス要求から分析パラメータを削除するパラメータ削除手段と、を備えることを特徴とする。
【００１５】
また、本発明は、ウェブサイトへのアクセスを制御する情報処理装置における情報処理方法であって、前記情報処理装置のアクセス要求取得手段が、ユーザからウェブサイトへのアクセス要求を取得するアクセス要求取得工程と、前記情報処理装置のアクセス可否判定手段が、前記アクセス要求取得工程により取得したアクセス要求に係るアクセス先のウェブサイトが、当該アクセス要求に分析パラメータが付与されている場合にアクセス可能かを判定するアクセス可否判定工程と、前記情報処理装置のパラメータ削除手段が、前記アクセス可否判定工程によりアクセスできないと判定された場合、当該アクセス要求から分析パラメータを削除するパラメータ削除工程と、を備えることを特徴とする。
【００１６】
また、本発明は、ウェブサイトへのアクセスを制御する情報処理装置において実行可能なプログラムであって、前記情報処理装置を、ユーザからウェブサイトへのアクセス要求を取得するアクセス要求取得手段と、前記アクセス要求取得手段により取得したアクセス要求に係るアクセス先のウェブサイトが、当該アクセス要求に分析パラメータが付与されている場合にアクセス可能かを判定するアクセス可否判定手段と、前記アクセス可否判定手段によりアクセスできないと判定された場合、当該アクセス要求から分析パラメータを削除するパラメータ削除手段として機能させることを特徴とする。
【発明の効果】
【００１７】
本発明によれば、遷移先ページが分析パラメータを受け付けない場合でも、ユーザの利便性低下を低減させることが可能となる。
【図面の簡単な説明】
【００１８】
【図１】本発明のシステム構成および概要を示す図
【図２】各装置のハードウエア構成を示す図
【図３】パラメータ付与判定処理を示すフローチャート
【図４】遷移先ページチェック処理を示すフローチャート
【図５】アクセス情報収集サーバにおける分析データテーブルの一例を示す図
【図６】チェック除外サイトリストの一例を示す図
【図７】パラメータ付与適用リストの一例を示す図
【図８】パラメータ付与解除リストの一例を示す図
【図９】レスポンスコードリストの一例を示す図
【図１０】リクエストデータ、レスポンスデータの一例を示す図
【図１１】アクセス情報収集サーバにおける分析データテーブルの一例を示す図
【発明を実施するための形態】
【００１９】
図１は本発明のゲートウェイサーバ１０１（以下、情報処理装置１０１とする）、アクセス情報収集サーバ１０２を含む情報処理システムの構成例を示す図である。
【００２０】
本発明における情報処理システムは、ユーザが用いるクライアント端末と、情報処理装置１０１（ゲートウェイサーバ）、アクセス情報収集サーバ１０２がそれぞれ通信可能に接続されている。また、情報処理装置１０１を介して、インターネットに接続されている。
【００２１】
ここで図１を使って、情報処理装置１０１で実行されるパラメータ付与判定処理の流れを説明する。
【００２２】
ユーザにより、あるウェブサイト内におけるウェブサイトＡへのリンクがクリックされると、ウェブサイトＡへのリクエスト（分析パラメータ付）は情報処理装置１０１に送信される。そして、情報処理装置は、分析パラメータが付与されたリクエストによりウェブサイトＡにアクセス可能であるかを判定する。
【００２３】
分析パラメータの付与が可能である場合は、分析パラメータを付与したリクエストによりウェブサイトＡに遷移させる（アクセスする）。そして、ユーザが使用するクライアント端末のブラウザには、ウェブサイトＡの画面が描画される。そして、分析パラメータ情報を含むアクセス情報がアクセス情報収集サーバ１０２に送信される。
【００２４】
分析パラメータの付与が可能ではない場合は、分析パラメータを排除（削除）したリクエストによりウェブサイトＡに遷移させる。そして、ユーザが使用するクライアント端末のブラウザには、ウェブサイトＡの画面が描画される。そして、分析パラメータ情報を含まないアクセス情報がアクセス情報収集サーバ１０２に送信される。さらにこの際、情報処理装置１０１からアクセス情報収集サーバに対して、分析パラメータ情報を別途送信する。
【００２５】
以上が本発明の処理の概要である。詳細な処理については後述する。
【００２６】
次に図２を用いて、情報処理装置１０１、アクセス情報収集サーバ１０２のハードウエア構成の一例を説明する。
【００２７】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２８】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２９】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００３０】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００３１】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００３２】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００３３】
ハードウエア上で動作する各種プログラムは、外部メモリ２１１に記録されており、必要に応じてＲＡＭ２０２にロードされることによりＣＰＵ２０１によって実行されるものである。
【００３４】
なお、全ての装置がこれらの構成を備えているわけではなく、必要なものを夫々備えていればよい。
【００３５】
次に図３のフローチャートを用いて、パラメータ付与判定処理の詳細について説明する。
【００３６】
なお、図３のフローチャートに示す処理は、情報処理装置１０１のＣＰＵ２０１が所定の制御プログラムを読み込んで実行する処理である。
【００３７】
ステップＳ３０１では、情報処理装置１０１のＣＰＵ２０１は、ユーザのクライアント端末から送信されたリクエスト（アクセス要求）に含まれるリクエストＵＲＬを取得する。
【００３８】
ステップＳ３０２では、情報処理装置１０１のＣＰＵ２０１は、ステップＳ３０１で取得したリクエストＵＲＬに分析パラメータが含まれているかを判断する。
【００３９】
分析パラメータとは、例えば「ｈｔｔｐ：／／ｈｏｇｅ．ａｂｃ．ｊｐ／ｈｏｇｅｈｏｇｅ？ｐａｒａｍ＿ｍｅｄｉｕｍ＝ｍａｉｌ」というＵＲＬにおいては、「？」より後の「ｐａｒａｍ＿ｍｅｄｉｕｍ＝ｍａｉｌ」のことを意味する。
【００４０】
ステップＳ３０３では、情報処理装置１０１のＣＰＵ２０１は、リクエスト先のサイトが、パラメータ付与チェックの対象であるかを判断する。
【００４１】
具体的には、図６に示すチェック除外サイトリストを参照に、リクエスト先が当該リストに登録されているか否かにより判断する。
【００４２】
チェック除外サイトリストには、パラメータが付与されたリクエストでアクセスが可能であることが保証されているリストである。いわゆるホワイトリストに相当するリストである。
【００４３】
リクエスト先サイトがチェック除外サイトリストに登録されている場合、すなわちパラメータ付与チェックの対象ではない場合（ステップＳ３０３：ＮＯ）は、処理をステップＳ３０５に移行する。
【００４４】
リクエスト先サイトがチェック除外サイトリストに登録されていない場合、すなわちパラメータ付与チェックの対象である場合（ステップＳ３０３：ＹＥＳ）は、処理をステップＳ３０４に移行する。
【００４５】
ステップＳ３０４では、情報処理装置１０１のＣＰＵ２０１は、パラメータ付与適用リスト（図７）およびパラメータ付与解除リスト（図８）を参照し、リクエスト先サイトがいずれかのリストに登録されているかを判断する。
【００４６】
パラメータ付与適用リストは、図４に示す処理により遷移ＯＫと判定されたサイトのホスト名が登録されたリストである。すなわち、当該リストに登録されたホスト名のサイトであれば、パラメータが付与されたリクエストでアクセス可能であることを意味する。
【００４７】
パラメータ付与解除リストは、図４に示す処理により遷移ＮＧと判定されたサイトのホスト名が登録されたリストである。すなわち、当該リストに登録されたホスト名のサイトについては、パラメータが付与されたリクエストではアクセスができないことを意味する。
【００４８】
パラメータ付与適用リストに登録されている場合は、処理をステップＳ３０５に移行する。
【００４９】
ステップＳ３０５では、情報処理装置１０１のＣＰＵ２０１は、リクエストＵＲＬにリダイレクトする。
【００５０】
パラメータ付与解除リストに登録されている場合は、処理をステップＳ３０９に移行する。
【００５１】
いずれのリストにも登録されていない場合には、処理をステップＳ３０６に移行する。
【００５２】
ステップＳ３０６では、情報処理装置１０１のＣＰＵ２０１は、リクエスト先サイトの遷移チェック処理を行う。ステップＳ３０６の処理の詳細については、図４を用いて後述する。
【００５３】
ステップＳ３０７では、情報処理装置１０１のＣＰＵ２０１は、ステップＳ３０６における遷移チェック処理の結果を確認し、遷移ＯＫであるか遷移ＮＧであるかを判定する。
【００５４】
遷移ＯＫである場合、すなわちパラメータが付与されたリクエストでアクセス可能である場合（ステップＳ３０７：ＯＫ）は、処理をステップＳ３１１に移行する。
【００５５】
遷移ＮＧである場合、すなわちパラメータが付与されたリクエストではアクセスできない場合（ステップＳ３０７：ＮＯ）は、処理をステップＳ３０８に移行する。
【００５６】
ステップＳ３０８では、情報処理装置１０１のＣＰＵ２０１は、パラメータ付与解除リストにアクセス先ＵＲＬを登録する。
【００５７】
ステップＳ３０９では、情報処理装置１０１のＣＰＵ２０１は、リクエストから分析パラメータを除外（削除）した状態で、リクエストＵＲＬに対してリダイレクトする。
【００５８】
ステップＳ３１０では、情報処理装置１０１のＣＰＵ２０１は、アクセス情報収集サーバ１０２に対してパラメータ情報を送信する。
【００５９】
ステップＳ３１１では、情報処理装置１０１のＣＰＵ２０１は、パラメータ付与適用リストにアクセス先ＵＲＬのホスト名を登録する。
【００６０】
ステップＳ３１２では、情報処理装置１０１のＣＰＵ２０１は、分析パラメータを付与した状態で、リクエストＵＲＬにリダイレクトする。
【００６１】
次に図４のフローチャートを用いて、ステップＳ３０６における遷移チェック処理の詳細について説明する。
【００６２】
なお、図４のフローチャートに示す処理は、情報処理装置１０１のＣＰＵ２０１が所定の制御プログラムを読み込んで実行する処理である。
【００６３】
ステップＳ４０１では、情報処理装置１０１のＣＰＵ２０１は、遷移先のＵＲＬを取得する。
【００６４】
ステップＳ４０２では、情報処理装置１０１のＣＰＵ２０１は、ステップＳ４０１で取得した遷移先ＵＲＬに対して、ＨＴＴＰリクエストを発行する。
【００６５】
ステップＳ４０３では、情報処理装置１０１のＣＰＵ２０１は、ステップＳ４０２で発行したＨＴＴＰリクエストのレスポンスデータに含まれるレスポンススコードを確認し、図９に示すレスポンスコードリストに含まれるかを判断する。
【００６６】
図９は、パラメータが付与されたリクエストではアクセスできない場合のレスポンスコードが登録されたリストである。レスポンスデータに含まれるレスポンスコードが図９のリストに登録されている場合は、パラメータが付与されたリクエストではアクセスできないサイトであることを意味する。
【００６７】
レスポンスデータに含まれるレスポンスコードがレスポンスコードリストに含まれていない場合（ステップＳ４０３：ＯＫ）は、処理をステップＳ４０４に移行し、遷移ＯＫの旨を返す。
【００６８】
レスポンスデータに含まれるレスポンスコードがレスポンスコードリストに含まれている場合（ステップＳ４０３：ＮＧ）は、処理をステップＳ４０５に移行し、遷移ＮＧの旨を返す。
【００６９】
図５は、アクセス情報収集サーバ１０２に記憶された分析データの一例を示すデータテーブルである。
【００７０】
図５に示す例では、分析データは、データＩＤ、訪問者ＩＤ、訪問セッションＩＤ、ページＩＤ、アクセス日時、分析パラメータ等の項目から構成される。
【００７１】
データＩＤは、分析データを一意に特定するための識別情報である。訪問者ＩＤは、アクセス情報収集サーバ１０２が発行する訪問者を一意に特定するための識別情報である。訪問セッションＩＤは、アクセス情報収集サーバ１０２が発行する訪問セッションを一意に特定するための識別情報である。ページＩＤは、分析対象画面を特定するための情報である。分析パラメータは、ＵＲＬに付与された分析パラメータである。
【００７２】
図９は、遷移ＮＧと判定されるレスポンスコードが登録されたリストの一例を示す図である。
【００７３】
図９に示す例では、レスポンスコードが４００番台、５００番台であった場合には、遷移ＮＧと判定されることを意味する。
【００７４】
図１０は、リクエストデータとレスポンスデータの一例を示す図である。
【００７５】
図１０に示す例では、レスポンスデータ内のレスポンスコードは「２００」である。そのため、図９に示すレスポンスコードリストには登録されていないコードであるため、遷移ＯＫと判定される。
【００７６】
図１１は、アクセス情報収集サーバ１０２に記憶された分析データの一例を示すデータテーブルであり、ステップＳ３１０の処理を実行する前（Ａ）と実行した後（Ｂ）の分析データテーブルを示した図である。
【００７７】
図１１（Ａ）に示すデータのうち、データＩＤ：７０００８９９のデータについては、分析パラメータを除外した状態でリクエストＵＲＬにリダイレクトされたデータである。
【００７８】
分析パラメータが除外されているため、分析データの分析パラメータの項目にはデータが格納されていない。
【００７９】
図１１（Ｂ）は、ステップＳ３１０の処理が実行されたあとのデータであり、データＩＤ：７０００８９９のデータについても、情報処理装置１０１から分析パラメータが送信されているため、分析パラメータの項目にデータが登録されている。
【００８０】
また、本発明におけるプログラムは、図３、図４の処理をコンピュータに実行させるプログラムである。なお、本発明におけるプログラムは、図３、図４の各処理ごとのプログラムであってもよい。
【００８１】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００８２】
この場合、記録媒体から読み出されたプログラム自体が本発明の新規な機能を実現することになり、そのプログラムを記録した記録媒体は本発明を構成することになる。
【００８３】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００８４】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８５】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８６】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００８７】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【００８８】
１０１  情報処理装置
１０２  アクセス情報収集サーバ
【図１】
2016115068.tif 000003
【図２】
2016115068.tif 000004
【図３】
2016115068.tif 000005
【図４】
2016115068.tif 000006
【図５】
2016115068.tif 000007
【図６】
2016115068.tif 000008
【図７】
2016115068.tif 000009
【図８】
2016115068.tif 000010
【図９】
2016115068.tif 000011
【図１０】
2016115068.tif 000012
【図１１】
2016115068.tif 000013